(57)【要約】【課題】破片や異物によってスライドスイッチが切り換え不能となり、あるいは導通不良に陥るのを一掃して、スイッチ操作を常に適正に行える電気機器のスイッチ構造を提供する。【解決手段】ケース体２の内部にスライドスイッチ９を配置し、ケース体２の外面にスイッチノブ１０を設ける。スライドスイッチ９は、ハウジング１１と、ハウジング１１に収容されるスライダー１２などで構成する。スライダー１２の操作突起１６を、切換溝１５からハウジング１１の外面に突出させる。スイッチノブ１０は、ケース体２の外面に露出する操作部２０と、操作突起１６と係合する連結部２２と、切換溝１５の開口面を覆う遮蔽体２３とを備えている。以て、スイッチノブ１０の全ストローク範囲において遮蔽体２３が切換溝１５の開口周縁壁と摺接する状態で切換溝１５を閉止できるようにする。【選択図】図１
2008059808.tif 000002
【特許請求の範囲】
【請求項１】
ケース体（２）の内部にスライドスイッチ（９）が配置され、ケース体（２）の外面にスライドスイッチ（９）を切り換え操作するスイッチノブ（１０）が設けられており、
スライドスイッチ（９）は、ハウジング（１１）およびハウジング（１１）に収容されるスライダー（１２）を含み、スイッチノブ（１０）と対向するハウジング（１１）の外面に切換溝（１５）が開口され、スライダー（１２）の操作突起（１６）が前記切換溝（１５）からハウジング（１１）の外面に突出させてあり、
スイッチノブ（１０）は、ケース体（２）の外面に露出する操作部（２０）と、ケース体（２）の内面側に設けられて前記操作突起（１６）と係合する連結部（２２）と、切換溝（１５）の開口面を覆う遮蔽体（２３）とを備えており、
スイッチノブ（１０）の全ストローク範囲において、遮蔽体（２３）が切換溝（１５）の開口周縁壁と摺接する状態で切換溝（１５）を閉止している電気機器のスイッチ構造。
【請求項２】
凹部として形成された連結部（２２）が、スライダー（１２）の操作突起（１６）に外嵌する状態で係合連結されており、
遮蔽体（２３）が、連結部（２２）のスライド方向一側に連続して設けられる第１遮蔽部（２３Ａ）と、連結部（２２）のスライド方向他側に連続して設けられる第２遮蔽部（２３Ｂ）とで構成してある請求項１記載の電気機器のスイッチ構造。
【請求項３】
第１遮蔽部（２３Ａ）および第２遮蔽部（２３Ｂ）のそれぞれが、切換溝（１５）の開口縁を囲む周囲枠（２５）と、周囲枠（２５）の外面を塞ぐ閉止壁（２６）とで容器状に形成されており、
周囲枠（２５）の端面の外幅（Ｂ１）が切換溝（１５）の開口幅（Ｂ２）より僅かに大きく設定してある請求項１または２記載の電気機器のスイッチ構造。
【請求項４】
スライダー（１２）がオフ位置と複数のオン位置との間を往復スライドできるようにハウジング（１１）で支持されており、
スイッチノブ（１０）のオフ位置側およびオン位置側の各ストローク終端において、ハウジング（１１）と摺接して異物の侵入を防ぐ区画壁（２７）が、両遮蔽部（２３Ａ・２３Ｂ）の周囲枠（２５）の内面に形成してある請求項３記載の電気機器のスイッチ構造。
【請求項５】
第１遮蔽部（２３Ａ）、および第２遮蔽部（２３Ｂ）の周囲に、ケース体（２）の内面壁で抜止保持される翼壁（２１）が張り出し形成してある請求項１から４のいずれかに記載の電気機器のスイッチ構造。
【請求項６】
ケース体（２）とスイッチノブ（１０）との摺接面に、互いに係合して、スイッチノブ（１０）をスライド案内し、かつスイッチノブ（１０）がスライド方向と交差する方向へ遊動ないし傾動するのを規制する、溝（３６）と突起（３５）が形成してある請求項１から５のいずれかに記載の電気機器のスイッチ構造。
【請求項７】
第１遮蔽部（２３Ａ）、および第２遮蔽部（２３Ｂ）の閉止壁（２６）がケース体（２）の内面壁で抜止保持してある請求項３から６のいずれかに記載の電気機器のスイッチ構造。
【発明の詳細な説明】
【技術分野】
【０００１】
本発明は、例えばヘアードライヤーなどの電気機器に組み込まれるスイッチ構造に関する。
【背景技術】
【０００２】
電気機器におけるスイッチ構造、なかでもスライドスイッチは例えば特許文献１に見ることができる。そこでは、本体ケースの外面に凹み形成したスイッチ凹部にスライドスイッチを配置し、本体ケースに固定したスイッチパネルでスイッチ凹部の開口面を覆っている。スイッチパネルにはスイッチノブが組み付けてあり、スイッチノブを往復操作することによりスライドスイッチを切り換えることができる。
【０００３】
スライドスイッチは、可動接点および固定接点などを組み込むためのハウジング本体と、可動接点を切り換えるスライダーと、両接点およびスライダーの外面を覆うカバーなどで構成してある。スライダーには操作突起が一体に設けてあり、操作突起はカバーに開口した切換溝からスイッチ外面に露出させてある。ハウジング本体とカバーとでハウジングを構成している。
【０００４】
【特許文献１】実用新案登録第２５８３１９９号公報（段落番号００１２、図１）
【発明の開示】
【発明が解決しようとする課題】
【０００５】
ヘアードライヤーなどの電気機器の多くは、ケース体や内部部品をプラスチック製の部品で構成するため、落下衝撃や大きな外力を受けるときケース体や内部部品の一部が破損することがある。あるいは、操作ノブ用に開口したノブ溝から異物がケース体の内部に入り込むことがある。このような破片や異物は故障を誘発しやすく、例えば、破片がスライドスイッチの切換溝に嵌まり込み、あるいは破片が切換溝から入り込み、スライダーの切り換え操作が不可能となり、あるいは導通不良に陥ることがある。場合によっては、スライドスイッチが切り換え不能となっているにもかかわらず、スイッチノブが無理やりスライド操作されて、スイッチノブの内面に設けた連結突起が折損されることもある。
【０００６】
本発明の目的は、破片や異物によってスライドスイッチが切り換え不能となり、あるいは導通不良に陥るのを一掃し、スイッチ操作を常に適正に行える電気機器のスイッチ構造を提供することにある。
【課題を解決するための手段】
【０００７】
本発明のスイッチ構造においては、ケース体２の内部にスライドスイッチ９が配置され、ケース体２の外面にスライドスイッチ９を切り換え操作するスイッチノブ１０が設けてある。スライドスイッチ９は、ハウジング１１およびハウジング１１に収容されるスライダー１２を含む。スイッチノブ１０と対向するハウジング１１の外面には切換溝１５が開口され、スライダー１２の操作突起１６が前記切換溝１５からハウジング１１の外面に突出させてある。スイッチノブ１０は、ケース体２の外面に露出する操作部２０と、ケース体２の内面側に設けられて前記操作突起１６と係合する連結部２２と、切換溝１５の開口面を覆う遮蔽体２３とを備えている。以て、スイッチノブ１０の全ストローク範囲において、遮蔽体２３が切換溝１５の開口周縁壁と摺接する状態で切換溝１５を閉止する点に特長を有する。
【０００８】
凹部として形成された連結部２２は、スライダー１２の操作突起１６に外嵌する状態で係合連結する。遮蔽体２３は、連結部２２のスライド方向一側に連続して設けられる第１遮蔽部２３Ａと、連結部２２のスライド方向他側に連続して設けられる第２遮蔽部２３Ｂとで構成する。
【０００９】
第１遮蔽部２３Ａおよび第２遮蔽部２３Ｂのそれぞれを、切換溝１５の開口縁を囲む周囲枠２５と、周囲枠２５の外面を塞ぐ閉止壁２６とで容器状に形成する。周囲枠２５の端面の外幅Ｂ１を切換溝１５の開口幅Ｂ２より僅かに大きく設定する。
【００１０】
スライダー１２は、オフ位置と複数のオン位置との間を往復スライドできるようにハウジング１１で支持する。スイッチノブ１０のオフ位置側およびオン位置側の各ストローク終端において、ハウジング１１と摺接して異物の侵入を防ぐ区画壁２７を、両遮蔽部２３Ａ・２３Ｂの周囲枠２５の内面に形成する。
【００１１】
第１遮蔽部２３Ａ、および第２遮蔽部２３Ｂの周囲に、ケース体２の内面壁で抜止保持される翼壁２１を張り出し形成する。
【００１２】
ケース体２とスイッチノブ１０との摺接面に、互いに係合して、スイッチノブ１０をスライド案内し、かつスイッチノブ１０がスライド方向と交差する方向へ遊動ないし傾動するのを規制する、溝３６と突起３５を形成する。
【００１３】
第１遮蔽部２３Ａおよび第２遮蔽部２３Ｂの閉止壁２６を、ケース体２の内面壁で抜止保持する。
【発明の効果】
【００１４】
本発明においては、ケース体２の内外にスライドスイッチ９とスイッチノブ１０とが配置してあるスイッチ構造において、操作部２０と、ケース体２の内面側に設けられる連結部２２と、切換溝１５の開口面を覆う遮蔽体２３などでスイッチノブ１０を構成し、スライドスイッチ９のハウジング１１に開口した切換溝１５を、スイッチノブ１０の全ストローク範囲において遮蔽体２３で閉止できるようにした。
【００１５】
したがって本発明のスイッチ構造によれば、ケース体２の内部に破片や異物が入り込んだとしても、破片や異物がスライドスイッチ９の切換溝１５に嵌まり込み、あるいは切換溝１５からハウジング１１内へ入り込むのを遮蔽体２３で確実に防止して、スライドスイッチ９が切り換え不能となり、あるいは導通不良に陥るのを防止でき、電気機器におけるスイッチ操作を常に適正に行うことができる。スイッチノブ１０の全ストローク範囲において、遮蔽体２３が切換溝１５の開口周縁壁と摺接するので、遮蔽体２３と切換溝１５の開口周縁壁との間から破片や異物が進入する余地がなく、さらに切換溝１５の開口周縁壁に破片や異物が付着していたとしても、スイッチノブ１０をスライド切り換え操作することで破片や異物などを遮蔽体２３で強制的に排除できる。
【００１６】
連結部２２の一側に設けられる第１遮蔽部２３Ａと、連結部２２の他側に設けられる第２遮蔽部２３Ｂとで遮蔽体２３を構成すると、遮蔽体２３を独立部品として形成する場合に比べて、スイッチノブ１０の全体構造を簡素化して、その分だけスイッチ構造の製造に要するコストを削減できる。さらに、遮蔽体２３を連結部２２を介してスイッチノブ１０と一体化するので、スイッチノブ１０をスライド操作するとき遮蔽体２３を円滑に同行移動させて、切換溝１５を確実に塞ぐことができる。
【００１７】
第１遮蔽部２３Ａおよび第２遮蔽部２３Ｂのそれぞれを、周囲枠２５と閉止壁２６とで容器状に形成し、周囲枠２５の端面の外幅Ｂ１を切換溝１５の開口幅Ｂ２より僅かに大きく設定するスイッチ構造によれば、破片や異物の進入を確実に防止しながら、両遮蔽部２３Ａ・２３Ｂとハウジング１１との摺接面積を最小限化して、両者間の摺動摩擦を小さくでき、その分だけスイッチノブ１０の切り換え操作を的確に行うことができる。
【００１８】
両遮蔽部２３Ａ・２３Ｂの周囲枠２５の内面に区画壁２７を形成し、スイッチノブ１０のオフ位置側およびオン位置側の各ストローク終端において、ハウジング１１と区画壁２７とで異物の侵入を防ぐようにしたスイッチ構造によれば、スイッチノブ１０のストローク終端において、各遮蔽部２３Ａ・２３Ｂの周囲枠２５の一部がスライドスイッチ９のハウジング１１の端部からはみ出る場合でも、破片や異物が切換溝１５に侵入するのを区画壁２７で阻止して、スライドスイッチ９が切り換え不能となり、あるいは導通不良に陥るのをさらに確実に防止できる。
【００１９】
第１遮蔽部２３Ａ、および第２遮蔽部２３Ｂの周囲に翼壁２１を張り出し形成し、この翼壁２１をケース体２の内面壁で抜止保持するスイッチ構造によれば、スライド切り換え操作時にスイッチノブ１０がケース体２から浮き離れるのを規制して、周囲枠２５をハウジング１１に対して常に摺接させることができ、したがって、破片や異物が周囲枠２５とハウジング１１との摺接面から侵入して切換溝１５に入り込む余地を一掃して、スイッチ構造の信頼性をさらに向上できることになる。
【００２０】
ケース体２とスイッチノブ１０との摺接面に、互いに係合する溝３６と突起３５を形成し、これら両者３５・３６の規制作用によってスイッチノブ１０を往復スライドのみ可能に案内し、かつスイッチノブ１０がスライド方向と交差する方向へ遊動ないし傾動するのを規制するスイッチ構造によれば、遮蔽体２３の移動軌跡が変動し、あるいは蛇行するのを規制して、切換溝１５を遮蔽体２３で常に適正に塞ぐことができ、とくに、周囲枠２５の端面の外幅Ｂ１が切換溝１５の開口幅Ｂ２と接近している場合であっても、切換溝１５を周囲枠２５で確実に塞いで、異物などが切換溝１５へ侵入するのを防止できる。
【００２１】
第１遮蔽部２３Ａおよび第２遮蔽部２３Ｂの閉止壁２６をケース体２の内面壁で抜止保持するスイッチ構造によれば、スライド切り換え操作時にスイッチノブ１０がケース体２から浮き離れるのを規制して、周囲枠２５をハウジング１１に対して常に摺接させることができ、これにより破片や異物が周囲枠２５とハウジング１１との摺接面から侵入して切換溝１５に入り込むのを一掃して、スイッチ構造の信頼性をさらに向上できる。とくに、閉止壁２６および翼壁２１をケース体２の内面壁で抜止保持する場合には、スイッチノブ１０がケース体２から浮き離れるのをさらに確実に規制して、破片や異物の侵入を遮断できる。
【発明を実施するための最良の形態】
【００２２】
（実施例）  図１ないし図８は本発明に係るスイッチ構造をヘアードライヤー（電気機器）に適用した実施例を示す。図２においてヘアードライヤーは、左右に長い中空筒状の本体ケース１と、本体ケース１の下面後側に設けたグリップ（ケース体）２とを有し、本体ケース１の内部に、軸流型の送風ファン３と、送風ファン３を回転駆動するモーター４と、ヒーター５とが吸込口の側から記載順に配置してある。グリップ２の前面には、モーター４およびヒーター５への通電状態を切り換えるスイッチ構造が設けてある。グリップ２は実線で示す使用姿勢と、想像線で示す折り畳み収納姿勢とに変位操作できる。
【００２３】
スイッチ構造は、グリップ２の内部に配置されるスライドスイッチ９と、ケース体２の外面に配置されてスライドスイッチ９を切り換え操作するスイッチノブ１０とで構成する。図１に示すように、スライドスイッチ９は、ハウジング１１と、ハウジング１１に収容されるスライダー１２、可動接点１３、固定接点１４などで構成してある。ハウジング１１は角箱状のハウジング本体１１ａと、ハウジング本体１１ａの開口面を塞ぐ断面コ字状のカバー１１ｂとで構成してあり、スイッチノブ１０と対向するカバー１１ｂの主面壁に切換溝１５が開口してある。スライダー１２はハウジング本体１１で上下スライドのみ可能に案内支持されており、スライダー１２と一体に形成した角軸状の操作突起１６が、先の切換溝１５からハウジング１１の外面に突出させてある。
【００２４】
図３ないし図６に示すように、スイッチノブ１０は、グリップ２の外面に露出する銃弾形の操作部２０と、グリップ２でスライド案内され同時に抜止保持される翼壁２１と、翼壁２１の内面の上下中央に設けられるコ字枠状の連結部２２と、連結部２２の上下に形成されてスイッチノブ１０の全ストローク範囲において切換溝１５の開口面を覆う遮蔽体２３とを一体に備えたプラスチック成形品からなる。
【００２５】
図３に示すように遮蔽体２３は、連結部２２の上方（スライド方向一側）に連続して設けられる第１遮蔽部２３Ａと、連結部２２の下方（スライド方向他側）に連続して設けられる第２遮蔽部２３Ｂとで構成する。第１遮蔽部２３Ａおよび第２遮蔽部２３Ｂは、それぞれ切換溝１５の開口縁を囲む周囲枠２５と、周囲枠２５の外面を塞ぐ閉止壁２６とで浅い角形容器状に形成してあり、両遮蔽部２３Ａ・２３Ｂの周囲枠２５の内面に異物の侵入を防ぐ区画壁２７が形成してある。区画壁２７を設けることにより、周囲枠２５で囲まれる空間は区画壁２７で上下に二分される。区画壁２７は破片や異物の侵入を防ぐために設けるが、その詳細は後述する。
【００２６】
周囲枠２５はコ字状の連結部２２に連続して形成してあり、その端面の外幅Ｂ１は切換溝１５の開口幅Ｂ２より僅かに大きく設定してある（図８参照）。詳しくは、周囲枠２５の端面の外側半分が切換溝１５の開口縁からはみだし、周囲枠２５の端面の内側半分が切換溝１５の開口面に臨むように設定している。これにより、スイッチノブ１０の全ストローク範囲において切換溝１５の開口面を上下の周囲枠２５で塞ぎながら、スイッチノブ１０を切り換え操作するときの周囲枠２５とカバー１１ｂとの摺接抵抗を減少することができる。先の翼壁２１は周囲枠２５の周囲を囲む状態で張り出されて、その外面は閉止壁２６と面一になっている。
【００２７】
図５および図６に示すようにグリップ２は左右に分割された一対の左右ケース２ａ・２ｂを接合して中空体状に構成してあり、左右ケース２ａ・２ｂの内面に、スライドスイッチ９を位置決め固定するための組付座２９と、スライド凹部３１と協同して翼壁２１をスライド案内するガイド壁３０とを有し、ケース外面にスイッチノブ１０を収容するスライド凹部３１を備えている。スライド凹部３１は、操作部２０と同様に銃弾形に形成するが、操作部２０の上下ストローク分だけ上下寸法が大きく設定してある。左ケース２ａ側のスライド凹部３１には、スイッチノブ１０の上下スライドを許すスライド溝３２が切欠形成してある。左右ケース２ａ・２ｂは、ケース内面の上下に設けたねじボス２ｃにビス３３をケース外面からねじ込むことにより分離不能に一体化される（図５参照）。
【００２８】
スライドスイッチ９とスイッチノブ１０を左右ケース２ａ・２ｂの間に組み付けた状態においては、スライドスイッチ９が左右一対の組付座２９で挟持固定され、図８に示すように翼壁２１がスライド凹部３１の内面壁とガイド壁３０とで上下スライド自在に案内支持される。この組付状態において、翼壁２１および閉止壁２６の外面はスライド凹部３１の内面壁で抜止保持されている。また、連結部２２はスライダー１２の操作突起１６に外嵌係合しており、周囲枠２５の端面はカバー１１ｂの表面に接当している。
【００２９】
スイッチノブ１０を図１に示す下端のオフ位置から上方へ向かってスライド変位させることにより、弱冷風、弱温風、強温風の順にスライドスイッチ９を切り換えて、モーター４の駆動回転数とヒーター５の発熱温度を大小に変更できる。強温風位置まで切り換えた状態を図７に示している。このようにスライドスイッチ９をスライド切り換えするとき、スイッチノブ１０がスライド方向と交差する向きへ遊動ないし傾動するのを規制するために、スライド凹部３１と操作部２０との摺接面に、互いに係合する溝３６と突起３５を設けている。この実施例では、スライド凹部３１に突起３５を設け、操作部２０の内面に上下方向の溝３６を設けるようにした。なお、操作部２０は、スライド凹部３１の左右の段部壁によっても、スライド方向と交差する向きの遊動ないし傾動が規制されている。
【００３０】
以上のスイッチ構造によれば、スイッチノブ１０の全ストローク範囲において切換溝１５の開口面を遮蔽体２３で覆って、破片や異物がスライドスイッチ９の切換溝１５に嵌まり込み、あるいは切換溝１５からハウジング１１の内部に入り込むの確実に防止できる。スイッチノブ１０がオフ位置にあるとき、切換溝１５は第１遮蔽体２３Ａと連結部２２の周囲壁とで塞がれている。この状態から、スイッチノブ１０を、弱冷風位置や弱温風位置へスライド操作すると、切換溝１５は第１遮蔽体２３Ａと第２遮蔽体２３Ｂとで塞がれ、弱温風位置においては第２遮蔽体２３Ｂによる閉塞面積が、第１遮蔽体２３Ａによる閉塞面積より大きくなる。そして、スイッチノブ１０を強温風位置へ切り換えた状態では、切換溝１５は第２遮蔽体２３Ｂと連結部２２の周囲壁とで塞がれる。
【００３１】
スイッチノブ１０を強温風位置へ切り換えた状態では、図７に示すように第１遮蔽体２３Ａの上半部分がハウジング１１の上端からはみ出るが、区画壁２７がハウジング１１の上端寄りに位置して、周囲枠２５内の下半部分を閉止しているので、強温風位置において破片や異物が切換溝１５に入り込むことはない。スイッチノブ１０をオフ位置へ戻した状態では、図１に示すように第２遮蔽体２３Ｂの下半部分がハウジング１１の下端からはみ出るが、同様に区画壁２７がハウジング１１の下端寄りに位置して、周囲枠２５内の上半部分を閉止するので、オフ位置において破片や異物が切換溝１５に入り込むことはない。
【００３２】
遮蔽部２３はスイッチノブ１０と別体に形成することができる。その場合には、例えば図９に示すように遮蔽部２３をコ字枠状に形成し、上下両端の腕４０を翼壁２１に係合連結して、カバー１１ｂと摺接する遮蔽壁４１でスイッチノブ１０の全ストローク範囲において切換溝１５の開口面を遮蔽部２３で塞ぐようにする。遮蔽壁４１には、操作突起１６を挿通するための開口４２が形成してある。他は先の実施例と同じであるので、同じ部材に同じ符号を付してその説明を省略する。
【００３３】
上記の実施例以外に、本発明のスイッチ構造は、ヘアードライヤー以外の小形電気機器に適用でき、電源を単にオンオフ切り換えするスライド切り換え式のスイッチ構造にも適用できる。スイッチ構造のその組付位置は本体ケースなど任意の位置に組み込むことができる。また、スライドスイッチ９は縦長姿勢で配置する必要はなく、横長姿勢や傾斜姿勢で配置することができる。連結部２２は四角枠状に形成する必要はなく、操作突起１６の形状に応じて断面円形や楕円形であってもよい。区画壁２７は、必要に応じて周囲枠２５の内部の複数箇所に形成することができる。
【図面の簡単な説明】
【００３４】
【図１】スイッチ構造の縦断側面図である。
【図２】ヘアードライヤーの側面図である。
【図３】スイッチ構造の分解斜視図である。
【図４】ヘアードライヤーに適用したスイッチ構造の正面図である。
【図５】スイッチ構造とその取付構造の分解正面図である。
【図６】図５におけるＡ−Ａ線断面図である。
【図７】スイッチノブを切り換えた状態の縦断側面図である。
【図８】図１におけるＢ−Ｂ線断面図である。
【図９】スイッチ構造の別の実施例を示す縦断側面図である。
【符号の説明】
【００３５】
２  グリップ（ケース体）
９  スライドスイッチ
１０  スイッチノブ
１１  ハウジング
１２  スライダー
１５  切換溝
１６  操作突起
２０  操作部
２１  翼壁
２２  連結部
２３  遮蔽体
２３Ａ  第１遮蔽体（第１遮蔽部）
２３Ｂ  第２遮蔽体（第２遮蔽部）
【図１】
2008059808.tif 000003
【図２】
2008059808.tif 000004
【図３】
2008059808.tif 000005
【図４】
2008059808.tif 000006
【図５】
2008059808.tif 000007
【図６】
2008059808.tif 000008
【図７】
2008059808.tif 000009
【図８】
2008059808.tif 000010
【図９】
2008059808.tif 000011